(57)【要約】【課題】１アクションで氷を取り出すことができると共に、冷凍室扉を冷凍冷蔵庫の幅と同じ幅のシンプルな扉にすることができる冷凍冷蔵庫及びその冷凍室扉及びその自動製氷機を提供することを目的とする。【解決手段】この発明に係る冷凍冷蔵庫は、前面に開口部を有すると共に他の面は断熱され、内部に氷を作る製氷皿が配置された冷凍室と、この冷凍室の開口部を塞ぐように設けられ、開口部の一方の縦辺を軸に回転し開口部を開閉する冷凍室扉と、この冷凍室扉の冷凍室側に着脱自在に設けられ、冷凍室扉を閉めた状態で製氷皿の下方に位置し、氷を収納する貯氷ケースとを備えたことを特徴とする。【選択図】        図１
2005291682.tif 000002
【特許請求の範囲】
【請求項１】
前面に開口部を有すると共に他の面は断熱され、内部に氷を作る製氷皿が配置された冷凍室と、
この冷凍室の開口部を塞ぐように設けられ、前記開口部の一方の縦辺を軸に回転し該開口部を開閉する冷凍室扉と、
この冷凍室扉の前記冷凍室側に着脱自在に設けられ、前記冷凍室扉を閉めた状態で前記製氷皿の下方に位置し、氷を収納する貯氷ケースと、
を備えたことを特徴とする冷凍冷蔵庫。
【請求項２】
冷気を生成する冷却器と、この冷気を前記冷凍室の上面に供給し、前記冷凍室上面から前記製氷皿に冷気を当てることを特徴とする請求項１記載の冷凍冷蔵庫。
【請求項３】
前記冷凍室の上段に温度帯の異なる収納室を有し、この収納室と前記冷凍室とを仕切る中仕切に冷気を前記冷凍室上面に導く製氷用のダクトを設けたことを特徴とする請求項２記載の冷凍冷蔵庫。
【請求項４】
前記冷凍室扉に係合する貯氷ケースの上面に内部に冷気の流入を抑制する軟質の冷気流入抑制部材を設けたことを特徴とする請求項１記載の冷凍冷蔵庫。
【請求項５】
前記冷凍室内に製氷皿と、この製氷皿を回転させる駆動手段と、前記貯氷ケースの貯氷量を検知する貯氷量検知手段とを有し、前記冷凍室内において自動で製氷を行うことを特徴とする請求項１記載の冷凍冷蔵庫。
【請求項６】
前記製氷皿は、この製氷皿の一端を駆動する前記駆動手段及び該製氷皿の他端を支持する冷凍冷蔵庫本体部分に着脱自在に装着されることを特徴とする請求項５記載の冷凍冷蔵庫。
【請求項７】
前記冷凍室の上段に零度以上の温度帯の収納室を有し、前記製氷皿に給水する給タンクを前記収納室内に配置したことを特徴とする請求項５記載の冷凍冷蔵庫。
【請求項８】
前記収納室の一部となるように前記中仕切の上部に凹部を設け、ここに前記給水タンクを埋め込む構成としたことを特徴とする請求項７記載の冷凍冷蔵庫。
【請求項９】
前記冷凍室内の製氷皿と、前記零度以上の温度帯の収納室内の給水タンクとが左右方向に並んで位置することを特徴とする請求項８記載の冷凍冷蔵庫。
【請求項１０】
前記冷凍室内に手動で回転させる製氷皿を有することを特徴とする請求項１記載の冷凍冷蔵庫。
【請求項１１】
前記冷凍室扉に係合する前記貯氷ケースに前記製氷皿を載置させたことを特徴とする請求項１記載の冷凍冷蔵庫。
【請求項１２】
前記製氷皿の一端部に該製氷皿を回転させる手動回転部を設けたことを特徴とする請求項１１記載の冷凍冷蔵庫。
【請求項１３】
製氷皿を内部に収納する冷凍室の開口部を塞ぐように設けられ、前記開口部の一方の縦辺を軸に回転し該開口部を開閉し、前記冷凍室側の内面に着脱自在に設けられ、閉めた状態で前記製氷皿の下方に位置し、氷を収納する貯氷ケースを備えたことを特徴とする冷凍室扉。
【請求項１４】
冷凍室と、この冷凍室の上段に設けられた零度以上の温度帯の収納室と、前記冷凍室の開口部を塞ぐ冷凍室扉とを有する冷凍冷蔵庫の自動製氷機において、
前記収納室に設けられ、水を貯める給水タンクと、
この給水タンクから水が供給される製氷皿と、
この製氷皿に冷気を供給する冷気供給手段と、
前記製氷皿の一端部を駆動する駆動手段と、
前記冷凍室扉に設けられ、前記駆動手段により離氷された氷を貯める貯氷ケースと、
を備えたことを特徴とする自動製氷機。
【発明の詳細な説明】
【技術分野】
【０００１】
この発明は、冷凍室の扉が回転式の冷凍冷蔵庫に関するもので、冷凍室扉に貯氷ケースを設け、扉を開けるだけの１アクションで氷を取り出せるようにした冷凍冷蔵庫及びその冷凍室扉及びその自動製氷機に関するものである。
【背景技術】
【０００２】
従来の回転式の冷凍室扉を備えた冷凍冷蔵庫は、冷凍室の内部に貯氷ケースがあり、前面に開口部を持つ断熱された冷凍室内に製氷皿が配置され、製氷皿の下に貯氷ケースが配設されている。冷凍室の開口部は縦辺を軸に回転する冷凍室扉により塞がれている。貯氷ケース内の氷を使用する時は、冷凍室扉を回転させて開けた後に、貯氷ケースを前方に引き出す必要がある（例えば、特許文献１参照）。
【０００３】
また、従来の単独の製氷室扉を有する冷凍冷蔵庫の場合、製氷室扉を開けた時に貯氷ケースが出てくる構造となっており、製氷室扉の冷凍室側の下側に引掛け形状があり、製氷室扉を回転させると、引掛け形状が貯氷ケース底面の凹部に引掛り、貯氷ケースが前方に出てくる構造となっている（例えば、特許文献２参照）。
【特許文献１】特開平１０−３１８６３７号公報
【特許文献２】特開２００３−５６９７７号公報
【発明の開示】
【発明が解決しようとする課題】
【０００４】
従来の回転式の冷凍室扉を備えた冷凍冷蔵庫は、冷凍室扉をを開けてから貯氷ケースを引き出す必要があるため、２アクションとなり氷を取り出すまでに手間がかかる。
【０００５】
また、従来の単独の製氷室扉を有する冷凍冷蔵庫は、製氷室扉を開ける動作と連動して貯氷ケースが出てくる方式であり、扉の幅寸法を貯氷ケースとほぼ同じにする必要があり、冷凍冷蔵庫の幅と同じ幅のシンプルな扉にすることは困難であった。
【０００６】
この発明は、上記のような問題点を解決するためになされたもので、１アクションで氷を取り出すことができると共に、冷凍室扉を冷凍冷蔵庫の幅と同じ幅のシンプルな扉にすることができる冷凍冷蔵庫及びその冷凍室扉及びその自動製氷機を提供することを目的とする。
【課題を解決するための手段】
【０００７】
この発明に係る冷凍冷蔵庫は、前面に開口部を有すると共に他の面は断熱され、内部に氷を作る製氷皿が配置された冷凍室と、この冷凍室の開口部を塞ぐように設けられ、開口部の一方の縦辺を軸に回転し開口部を開閉する冷凍室扉と、この冷凍室扉の冷凍室側に着脱自在に設けられ、冷凍室扉を閉めた状態で製氷皿の下方に位置し、氷を収納する貯氷ケースとを備えたことを特徴とする。
【発明の効果】
【０００８】
この発明に係る冷凍冷蔵庫は、上記構成により、１アクションで氷を取り出すことができると共に、冷凍室扉を冷凍冷蔵庫の幅と同じ幅のシンプルな扉にすることができる。
【発明を実施するための最良の形態】
【０００９】
実施の形態１．
図１〜４は実施の形態１を示す図で、図１は回転式の冷凍室扉を備えた冷凍冷蔵庫の正面図、図２は回転式の冷凍室扉を備えた冷凍冷蔵庫の側断面図、図３は回転式の冷凍室扉を備えた冷凍冷蔵庫の扉を開けた状態の正面図、図４は回転式の冷凍室扉を備えた冷凍冷蔵庫の上面図及び各々の角度から見た図である。
【００１０】
図１に示すように、冷凍冷蔵庫は上部に冷蔵室があり、その開口部を塞ぐように回転式の冷蔵室扉７ａが設けられている。また、冷凍冷蔵庫の下部に冷凍室があり、その開口部を塞ぐように回転式の冷凍室扉２が設けられている。
【００１１】
図２、３に示すように、冷凍室１の開口部は冷凍室扉２によって塞がれており、冷凍室扉２は冷凍室１の開口部縦辺の上ヒンジ３と下ヒンジ４を軸に回転する構造となっている。冷凍室１内には製氷皿５が長手方向を正面から見て横に向けて配置され、冷凍室扉２を閉めた状態では、貯氷ケース６が製氷皿５の下に位置している。貯氷ケース６は冷凍室扉２の冷凍室１側の面の左右凸部２ａ、２ｂに着脱自在に係合しており、通常は冷凍室扉２の開閉に合わせて冷凍室扉２と共に回動する構造となっている。
【００１２】
製氷皿５の奥側は食品が収納できないデッドスペースとなるが、冷蔵庫の風路部品や制御基板等を収納することにより、デッドスペースにせず、冷蔵室７内等他の収納室を広く使うことができる。
【００１３】
製氷皿５はギアボックス１０（駆動手段）により離氷時回転駆動されて、後述するストッパー形状に製氷皿５の一部が当接してひねられ離氷が行われる。製氷皿５が配置される空間（一般的には製氷室という）は隣接する室と仕切壁１１により仕切られている。
【００１４】
また、冷凍室１の上段には冷蔵室７があり、冷凍室１と冷蔵室７の間は中仕切８によって断熱されている。製氷皿５に給水する給水タンク１３が冷蔵室７に設けられる。冷却器２２で生成された冷気が送風機２３により各室に送られるが、その一部の冷気は中仕切８内の製氷用のダクト２０（冷気供給手段）を通り、吹き出し穴８ａ、８ｂから製氷皿５にふりそそぐ構造とし、氷を速く作ることもできる。
【００１５】
また、冷却器２２で生成された冷気が送風機２３によりダンパ２１を介して冷蔵室７に送られる。
【００１６】
図４に示すように、貯氷ケース６は製氷皿５より平面積が十分大きく製氷皿５から離氷した氷は確実に貯氷ケース６内に落ちることになる。自動製氷の動作としては、ギアボックス１０のレバー部１０ｂの回転により検氷レバー１２（貯氷量検知手段）が下方向に動き（図４（ｃ））、貯氷ケース６内の氷の有無を確認した後、氷が少ない場合、ギアボックス１０の凸部１０ａの回転によって製氷皿５を回転させ、製氷皿５内の氷を落下させる（図４（ｂ））。
【００１７】
離氷の際は、製氷皿５のギアボックス１０の逆側（左右方向において）にあるストッパー形状１１ｂに製氷皿５の一部が引っ掛かることにより、製氷皿５をひねり離氷しやすくさせる。また、製氷皿５が回転する際、回転軌跡の最下点と貯氷ケース６の上面との間に寸法Ｆが存在するため、扉開閉時に製氷皿５が９０度回転しても貯氷ケース６と接触することはない。
【００１８】
このように構成することにより、冷凍室扉２を開ける１アクションで氷を取り出すことができると共に、冷凍室扉２を冷凍冷蔵庫の幅と同じ幅のシンプルな扉にすることができる。
また、製氷皿５に給水する給水タンク１３、製氷皿５、ギアボックス１０、貯氷ケース６により構成される自動製氷タイプのものでも、同様の効果が得られる。
【００１９】
実施の形態２．
図５は実施の形態２を示す図で、回転式の冷凍室扉を備えた冷凍冷蔵庫の部分側断面図である。図に示すように、貯氷ケース６の上側の縁にパッキン９（冷気流入抑制部材）が取り付けられており、パッキン９が貯氷ケース６の外周全体にあり、製氷皿に接していることにより、貯氷ケース６の内部に冷気が流入するのを防ぐことができる。これにより、貯氷ケース６内の氷が昇華しにくくなる（氷が小さく成らない）。
【００２０】
また、パッキン９はゴム等を使用した低温でもやわらかい軟質部９ａでできており、軟質部９ａであるから冷凍室扉２の開閉や製氷皿５の回転の妨げとならない。
【００２１】
実施の形態３．
図６は実施の形態３を示す図で、回転扉式冷凍室をもつ冷凍冷蔵庫の平断面図である。図において、製氷皿５を庫外（Ａの位置）から正規の位置（Ｂの位置）に取り付ける時は、製氷皿５の凹部５ａをギアボックス１０の凸部１０ａにはめて、製氷皿５の逆側にある凸部５ｂを仕切壁１１の穴部１１ａにはめて正規の位置にセットする。
【００２２】
製氷皿の凹部５ａの間口寸法Ｃをギアボックス１０の凸部１０ａの寸法Ｄより小さくすることにより、はめた時に凸部１０ａをくわえることができる。同様に仕切壁１１の穴部１１ａの間口寸法Ｅは製氷皿の凸部５ｂ外径Ｆより小さくすることにより、製氷皿の凸部５ｂをくわえることができるが、それぞれがプラスチック等の材料であるため、適度に撓んで挿入可能となる。
【００２３】
逆に製氷皿５を外す時は、前述のくわえ寸法を小さめにしておけば、無理なくＢの位置からＡの位置に取り外すことができる。
【００２４】
このように、製氷皿５をギアボックス１０及び仕切壁から取り外すことができるので、製氷皿５が汚れた場合洗うことができる。
【００２５】
実施の形態４．
図７は実施の形態４を示す図で、回転式の冷凍室扉を備えた冷凍冷蔵庫の部分正面斜視図である。図において、冷凍室１内の左上部に製氷皿５を位置させ、冷蔵室７内の右下部にて中仕切８の上面をえぐり、給水タンク１３を埋め込んだ構成となっている。
【００２６】
給水タンク１３から吐出された水は中仕切８を貫通させた給水パイプ１４を通って、製氷皿５に水を送ることができる。
【００２７】
このように、冷蔵室７内の右下部にて中仕切８の上面をえぐり、給水タンク１３を埋め込む構成としたので、冷蔵室７の収納スペースを広くすることができる。さらに、給水タンクと製氷皿を左右方向に並べる構造をとることにより、使いやすい位置に給水タンクと製氷皿を配置でき、給水経路もシンプルな構造にできる。
【００２８】
実施の形態５．
図８は実施の形態５を示す図で、回転式の冷凍室扉を備えた冷凍冷蔵庫の冷凍室扉を開いた状態の正面図である。図に示すように、製氷皿５は冷凍室１内に保持されており、離氷の時は製氷皿５を取り出し、貯氷ケース６上で手動離氷させることができる。
【００２９】
従って、自動製氷機を備えていない安価な冷蔵庫でも、上記実施の形態と同様の構成にでき、貯氷ケース６に製氷皿５から離氷した氷を貯めておけば、冷凍室扉２を開く１アクションで氷を取り出すことができる。
【００３０】
実施の形態６．
図９、１０は実施の形態６を示す図で、図９は回転式の冷凍室扉を備えた冷凍冷蔵庫の冷凍室扉を開いた状態の正面図、図１０は製氷皿の斜視図である。図に示すように、製氷皿５は外周フレーム５ｃの内部に２セット収納しており、ハンドル部５ｄ側の軸と凸部５ｂの軸が外周フレーム５ｃに固定されている。製氷皿５は貯氷ケース６の上部に保持されており、離氷させる時はハンドル部５ｄ（手動回転部）を手で回転させ、氷を貯氷ケース６内に落下させ、氷を使う時は製氷皿５全体を持ち上げて氷を取り出すことができる。
【００３１】
このようにすれば、離氷が手のみで行う場合に比べ簡単になる。
【００３２】
実施の形態７．
図１１は実施の形態７を示す図で、回転式の冷凍室扉を備えた冷凍冷蔵庫の正面図である。
上記実施の形態１乃至６では、冷凍室１の上段に冷蔵室７を配置した冷凍冷蔵庫を示したが、図１１に示すように冷凍室１の上段をチルド室にしてもよく、この場合は、チルド室はその開口部を塞ぐようにチルド室扉２４が設けられている。図ではチルド室扉２４も回転式のものを示したが、チルド室扉２４は観音開き、引き出し式等でもよい。
【００３３】
実施の形態８．
図１２は実施の形態８を示す図で、回転式の冷凍室扉を備えた冷凍冷蔵庫の正面図である。
上記実施の形態１乃至６では、冷凍室１の上段に冷蔵室７を配置した冷凍冷蔵庫を示したが、図１２に示すように冷凍室１の上段を切替室（庫内温度０℃以上）にしてもよく、この場合は、切替室はその開口部を塞ぐように切替室扉２５が設けられている。
【００３４】
製氷用の水を貯える室は、上記のように、冷蔵室、チルド室、切替室等庫内温度０℃以上であれば、どれでもよい。これらを、冷凍室１とは温度帯の異なる収納室と呼ぶ。
【図面の簡単な説明】
【００３５】
【図１】実施の形態１を示す図で、回転式の冷凍室扉を備えた冷凍冷蔵庫の正面図である。
【図２】実施の形態１を示す図で、回転式の冷凍室扉を備えた冷凍冷蔵庫の側断面図である。
【図３】実施の形態１を示す図で、回転式の冷凍室扉を備えた冷凍冷蔵庫の扉を開けた状態の正面図である。
【図４】実施の形態１を示す図で、回転式の冷凍室扉を備えた冷凍冷蔵庫の上面図及び各々の角度から見た図である。
【図５】実施の形態２を示す図で、回転式の冷凍室扉を備えた冷凍冷蔵庫の部分側断面図である。
【図６】実施の形態３を示す図で、回転扉式冷凍室をもつ冷凍冷蔵庫の平断面図である。
【図７】実施の形態４を示す図で、回転式の冷凍室扉を備えた冷凍冷蔵庫の部分正面斜視図である。
【図８】実施の形態５を示す図で、回転式の冷凍室扉を備えた冷凍冷蔵庫の冷凍室扉を開いた状態の正面図である。
【図９】実施の形態６を示す図で、回転式の冷凍室扉を備えた冷凍冷蔵庫の冷凍室扉を開いた状態の正面図である。
【図１０】実施の形態６を示す図で、製氷皿の斜視図である。
【図１１】実施の形態７を示す図で、回転式の冷凍室扉を備えた冷凍冷蔵庫の正面図である。
【図１２】実施の形態８を示す図で、回転式の冷凍室扉を備えた冷凍冷蔵庫の正面図である。
【符号の説明】
【００３６】
１  冷凍室、２  冷凍室扉、２ａ，２ｂ  凸部、３  上ヒンジ、４  下ヒンジ、５  製氷皿、５ａ  凹部、５ｂ  凸部、５ｃ  外周フレーム、５ｄ  ハンドル部、６  貯氷ケース、７  冷蔵室、７ａ  冷蔵室扉、８  中仕切、８ａ，８ｂ  吹き出し穴、９  パッキン、９ａ  軟質部、１０  ギアボックス、１０ａ  凸部、１０ｂ  レバー部、１１  仕切壁、１１ａ  穴部、１１ｂ  ストッパー形状、１２  検氷レバー、１３  給水タンク、１４  給水パイプ、１５  冷凍室、１６  製氷皿、１７  貯氷ケース、１８  断熱扉、１９  引掛け形状、２０  製氷用のダクト、２１  ダンパ、２２  冷却器、２３  送風機、２４  チルド室扉、２５  切替室扉。
【図１】
2005291682.tif 000003
【図２】
2005291682.tif 000004
【図３】
2005291682.tif 000005
【図４】
2005291682.tif 000006
【図５】
2005291682.tif 000007
【図６】
2005291682.tif 000008
【図７】
2005291682.tif 000009
【図８】
2005291682.tif 000010
【図９】
2005291682.tif 000011
【図１０】
2005291682.tif 000012
【図１１】
2005291682.tif 000013
【図１２】
2005291682.tif 000014